(57)【要約】【課題】復旧工事におけるガス供給停止エリアの決定を迅速かつ適切に行えるコンピュータシステムの提供。【解決手段】ガス供給管網管理システムは、ガス供給管網レイヤＳ１と標高レイヤＳ２と需要家ガス栓状態レイヤＳ３と供給停止エリア作業レイヤＳ４と住宅地図レイヤＳ０とを重ね合わせた、供給停止支援画面Ｓａを生成する作業支援画面生成部と、供給停止支援画面Ｓａを通じて工事対象となる地域のガス供給管網の状況を視認しながら、実際に供給停止されたエリアに基づいて供給停止エリア作業レイヤＳ４に描画される入力輪郭線によって規定されるエリアを、ガス供給停止エリアとして設定する供給停止エリア設定部と、設定されたガス供給停止エリアへのガス供給を停止するための遮断弁の位置を含む供給停止用閉栓情報を生成する閉栓情報生成部を備えている。【選択図】図１
2014112313.tif 000002
【特許請求の範囲】
【請求項１】
ガス供給管網レイヤと標高レイヤと需要家ガス栓状態レイヤと供給停止エリア作業レイヤと住宅地図レイヤとを重ね合わせた、ガス供給停止作業を支援するための供給停止作業支援画面を生成する作業支援画面生成部と、
モニタに表示された前記供給停止作業支援画面を通じて工事対象となる地域のガス供給管網の状況を視認しながら、実際に供給停止されたエリアに基づいて前記供給停止エリア作業レイヤに描画される入力輪郭線によって規定されるエリアを、ガス供給停止エリアとして設定する供給停止エリア設定部と、
設定された前記ガス供給停止エリアに基づいて当該ガス供給停止エリアへのガス供給を停止するための遮断弁の位置を含む供給停止用閉栓情報を生成する閉栓情報生成部と、
を備えたガス供給管網管理システム。
【請求項２】
前記ガス供給停止エリアを復旧していく作業を管理する復旧作業管理情報を生成する復旧作業管理情報生成部と、現場の差し水に関する情報を管理する差し水管理情報を生成する差し水管理情報生成部とが備えられ、かつ
前記作業支援画面生成部は、さらに、前記復旧作業管理情報を表示する復旧作業管理レイヤと前記差し水管理情報を表示する差し水現場状況管理レイヤとを重ね合わせた、前記ガス供給停止エリアに対して供給再開するための復旧作業を支援する際に用いられる復旧作業支援画面を生成する請求項１に記載のガス供給管網管理システム。
【請求項３】
前記需要家ガス栓状態レイヤは、需要家宅に備えられた通信機能付きガスメータから送られてきたガス栓状態情報に基づいて生成される請求項１又は２に記載のガス供給管網管理システム。
【請求項４】
前記閉栓情報生成部は、ガス供給管網における遮断弁配置図と前記ガス供給停止エリアとに基づいて、前記供給停止用閉栓情報を生成する請求項１から３のいずれか一項に記載のガス供給管網管理システム。
【請求項５】
前記閉栓情報生成部は、前記供給停止用閉栓情報に含まれる閉栓すべき前記遮断弁の閉栓状況を表す閉栓情報をリスト形式又は地図形式あるいはその両方の形式で生成する請求項１から４のいずれか一項に記載のガス供給管網管理システム。
【請求項６】
前記供給停止用閉栓情報に基づいて閉栓された前記遮断弁の復旧作業における開栓状況をリスト形式又は地図形式あるいはその両方の形式で生成する開栓情報生成部が備えられている請求項１から５のいずれか一項に記載のガス供給管網管理システム。
【請求項７】
ガス供給管網レイヤと標高レイヤと需要家ガス栓状態レイヤと供給停止エリア作業レイヤと住宅地図レイヤとを重ね合わせた、ガス供給停止作業を支援するための供給停止作業支援画面を生成する作業支援画面生成機能と、
モニタに表示された前記供給停止作業支援画面を通じて工事対象となる地域のガス供給管網の状況を視認しながら、実際に供給停止されたエリアに基づいて前記供給停止エリア作業レイヤに描画される入力輪郭線によって規定されるエリアを、ガス供給停止エリアとして設定する供給停止エリア設定機能と、
設定された前記ガス供給停止エリアに基づいて当該ガス供給停止エリアへのガス供給を停止するための遮断弁の位置を含む供給停止用閉栓情報を生成する閉栓情報生成機能と、
をコンピュータによって実現させるガス供給管網管理プログラム。
【請求項８】
前記ガス供給停止エリアを復旧していく作業を管理する復旧作業管理情報を生成する復旧作業管理情報生成機能と、現場の差し水に関する情報を管理する差し水管理情報を生成する差し水管理情報生成機能とをさらにコンピュータによって実現させるとともに、
前記作業支援画面生成機能は、さらに、前記復旧作業管理情報を表示する復旧作業管理レイヤと前記差し水管理情報を表示する差し水現場状況管理レイヤとを重ね合わせた、前記ガス供給停止エリアに対して供給再開するための復旧作業を支援する際に用いられる復旧作業支援画面を生成する請求項７に記載のガス供給管網管理プログラム。
【発明の詳細な説明】
【技術分野】
【０００１】
本発明は、ガス供給管網にガス供給不良が生じた際の復旧工事におけるガス供給管網の管理を支援するガス供給管網管理システム、及びそのようなシステムをコンピュータシステムで実現させるためのガス供給管網管理プログラムに関する。
【背景技術】
【０００２】
ガス供給管網のガス管切断を含む復旧工事では、第一にガス供給管網の工事対象となる特定エリアに対するガス供給の停止作業（遮断弁の閉栓等、及び切断による）、次いでガス供給管網の修繕作業、そしてガス供給の再開作業（遮断弁の開栓等）を経て、工事が終了する。
【０００３】
ガス供給管網のガス供給不良として、ガス導管外周部に開口部が生じ、ガス導管内に水が流入してくる、いわゆる、差し水に起因して、ガス供給に支障が生じるという障害（これをサンドブラストによるガス供給不良という）がある。このような支障が生じると、復旧作業として、漏水滞留箇所を推定し、水抜き作業を行う必要がある。同様にガス供給管網のガス供給不良の一つとして地震があり、サンドブラストと地震によるガス供給不良事故に対する復旧作業のプロセスはほぼ同様である。
【０００４】
この復旧作業をスムーズに行うためのサーバ・クライアントシステムが提案されている（特許文献１）。このシステムでは、サーバは、ガス導管の埋設深さ情報を含むガス導管データ、および標高値を含む標高データを記憶する記憶手段と、前記記憶手段に記憶されている前記ガス導管データおよび前記標高データに基づいて、前記ガス導管の標高値を算出する算出手段とを備えている。クライアント端末は、前記サーバの前記記憶手段から受信した前記ガス導管データに基づいて、ガス管経路の表示を制御する第１の表示制御手段と、前記ガス管経路の表示上で所定の区間を指定する入力手段と、前記入力手段により所定の区間が指定された場合、指定された所定の区間を通る最短経路上における前記ガス導管の標高値を前記サーバから受信し、前記ガス導管の標高値の縦断面図上における表示を制御する第２の表示制御手段とを備えている。この構成により、モニタ画面上に、ガス導管が埋設されている標高値を表示することができ、管理者は、ガス導管内の漏水滞留箇所を、迅速かつ高精度に特定することができる。さらに、サーバの記憶手段は、ガス供給状況情報を含む顧客データをさらに記憶し、クライアント端末の第２の表示制御手段は、前記サーバから前記顧客データを受信し、前記ガス導管の標高値の縦断面図上に、ガス供給停止箇所に関する情報を重ね合わせて表示することができ、ガス供給停止箇所を容易に把握することが可能となる。
しかしながら、このシステムでは、ガス管経路の所定の区間を通る最短経路におけるガス導管の標高値の縦断面図を表示し、その縦断面図上に顧客のガスメータ稼動状況を重畳表示するだけであるので、ガス供給管網における特定のエリアの状況を把握するのは困難である。
【先行技術文献】
【特許文献】
【０００５】
【特許文献１】特開２０１２−８７８５０号公報（図１、図５）
【発明の概要】
【発明が解決しようとする課題】
【０００６】
上記公知技術の欠点を解消し、災害等によってガス供給管網にガス供給不良が生じた際、復旧工事におけるまず行なわなければならないガス供給停止エリアの迅速かつ適切な決定を支援するコンピュータシステムが要望されている。
【課題を解決するための手段】
【０００７】
本発明によるガス供給管網管理システムは、ガス供給管網レイヤと標高レイヤと需要家ガス栓状態レイヤと供給停止エリア作業レイヤと住宅地図レイヤとを重ね合わせた、ガス供給停止作業を支援するための供給停止作業支援画面を生成する作業支援画面生成部と、モニタに表示された前記供給停止作業支援画面を通じて工事対象となる地域のガス供給管網の状況を視認しながら、実際に供給停止されたエリアに基づいて前記供給停止エリア作業レイヤに描画される入力輪郭線によって規定されるエリアを、ガス供給停止エリアとして設定する供給停止エリア設定部と、設定された前記ガス供給停止エリアに基づいて当該ガス供給停止エリアへのガス供給を停止するための遮断弁の位置を含む供給停止用閉栓情報を生成する閉栓情報生成部とを備えている。
【０００８】
この構成によれば、作業支援画面生成部で生成された画面データに基づく供給停止作業支援画面がデータ伝送ラインを通じてモニタに表示されると、作業管理者は、この画面から、工事対象となる地域におけるガス供給管網状態、標高の状態、個人宅や集合住宅や会社建物などにおける特定種のガスメータの開閉状態などを確認することが可能となる。しかも、その状態を面的な拡がりをもって確認することができ、ガス供給管網のガス供給不良の結果生じている実際に供給停止されているエリアを供給停止作業支援画面で確認することができる。さらには、作業管理者によって前記供給停止エリア作業レイヤに描画される入力輪郭線に基づいて規定されるガス供給停止エリアを何度も繰り返しながら検討することができる。そして、最終的に決定したものが、ガス供給停止エリアとしてシステム内で設定されるので、作業管理者は、ガス供給停止エリアの作業が迅速かつ適切に行なうことができる。なお、好適には、ガス供給停止エリアを決定する輪郭線は、ガス供給管網における遮断弁の位置を通るように設定される。ガス供給停止エリアが設定されると、このガス供給停止エリアをガス供給の閉鎖空間とするために要求される遮断弁の位置を含む供給停止用閉栓情報が生成される。この供給停止用閉栓情報に含まれている、ガス供給管網における遮断弁の位置（設置場所）を参照しながら、作業者は迅速に遮断弁を閉栓し、ガス供給停止エリアに対するガス供給停止作業を完遂することができる。
【０００９】
ガス供給停止エリアに対するガス供給停止作業が終えると、ガス供給停止エリアにガスを供給再開するために、修繕作業及びガス再供給作業を含む復旧作業が行われる。本発明によるガス供給管網管理システムは、このような復旧作業にも適用することができる。つまり、本発明の好適な実施形態の１つでは、前記ガス供給停止エリアを供給再開するための復旧作業を管理する復旧作業管理情報を生成する復旧作業管理情報生成部と、現場の差し水に関する情報を管理する差し水管理情報を生成する差し水管理情報生成部とが備えられ、かつ前記作業支援画面生成部は、さらに、前記復旧作業管理情報を表示する復旧作業管理レイヤと前記差し水管理情報を表示する差し水現場状況管理レイヤとを重ね合わせた復旧作業支援画面を生成する。この復旧作業支援画面は、前記ガス供給停止エリアに対して供給再開するための復旧作業を支援する際に用いられる画面である。この復旧作業支援画面に差し水現場状況管理レイヤを含めると、モニタを通じて水が溜まっているガス管の地図的位置が容易に把握することができ、復旧作業の適切な支援を行なうことができる。また、復旧作業支援画面には復旧作業管理レイヤも含まれているので、モニタを通じてガス供給再開のための復旧作業の進捗状況を地図上で、つまり俯瞰的に把握することも可能となる。
復旧作業管理レイヤは、復旧作業を管理する上で必要な各種情報を表示するものであり、好ましくは複数のレイヤに分割される。そのような復旧作業管理レイヤを構成するサブレイヤとして、例えば、顧客の復旧状況を示す復旧対象顧客レイヤ、復旧作業者の管理情報を示す担当地区レイヤ、復旧作業の管理情報を示す復旧ブロックレイヤなどが挙げられる。
【００１０】
具体的な実施の形態においては、供給停止作業支援画面に含まれているレイヤのうち必要なものだけを選んで復旧作業支援画面に組み込んでおいて、差し水現場状況管理レイヤ及び復旧作業管理レイヤとともに表示可能にしてもよい。あるいは、供給停止作業支援画面に含まれている全てのレイヤを復旧作業支援画面に組み込んでおいて、必要に応じて選択して表示させることも好適である。つまり、供給停止作業支援画面と復旧作業支援画面は、作業支援画面として統合化してもよいし、供給停止作業支援画面と復旧作業支援画面とを別個の作業支援画面として取り扱っても良い。
【００１１】
なお、本出願では、表示内容毎にレイヤが割り当てられている記述を採用しているが、もちろん、各レイヤを統合したり、あるいはさらに分割したりしてもよい。例えば、住宅地図レイヤを、需要家ガス栓状態レイヤ、ガス供給管網レイヤ、復旧作業管理レイヤなどに統合してもよい。必要な表示内容が供給停止支援画面や復旧作業支援画面の中で表示される限りにおいて、そのレイヤ構造は任意に選択可能である。
【００１２】
需要家ガス栓状態レイヤに含まれる需要家のガス栓状態を示すデータは、一般的には本管から分岐する引き込み管の終端口に設けられているガスメータの遮断弁（ガス栓）の開閉状態を示すものである。近年、ガスメータとして、ガス栓状態や流量などのメータ情報を通信回線を利用してリアルタイムに中央管理センタに送信する通信機能付きガスメータが採用されている。このようなガスメータからの情報はリアルタイムでの局地的なガス供給管網の状態を把握するために適している。このことから、本発明の好適な実施形態の１つでは、前記需要家ガス栓状態レイヤは、需要家宅に備えられた通信機能付きガスメータから送られてきたガス栓状態情報に基づいて生成されている。
【００１３】
さらに、本発明の好適な実施形態の１つでは、前記閉栓情報生成部は、ガス供給管網における遮断弁配置図と前記ガス供給停止エリアとに基づいて、前記供給停止用閉栓情報を生成する。この構成では、供給停止用閉栓情報に、供給停止支援画面を通じて設定されたガス供給停止エリアと遮断弁配置図とから導かれる閉栓すべき遮断弁の種別や位置などの遮断弁属性情報を含ませることができる。従って、この供給停止用閉栓情報を配布された作業者は、迅速かつ確実に局地的な閉栓作業を行なうことができる。このような閉栓作業は、多くの作業者に手分けして行われるので、その全体的な閉栓作業の流れをシステム側で管理し、必要に応じて作業者が閲覧できるようにする必要がある。このため、供給停止用閉栓情報に含まれる閉栓すべき遮断弁の閉栓状況が閉栓作業の経過とともに順次システム側に送られてくる。このようにして得られる遮断弁の閉栓状況を全体的に効率よく把握できるようにするため、本発明の好適な実施形態の１つでは、前記閉栓情報生成部は、前記供給停止用閉栓情報に含まれている閉栓すべき前記遮断弁の閉栓状況を表す閉栓情報をリスト形式又は地図形式あるいはその両方の形式で生成する。
【００１４】
ガス供給停止エリアにおける閉栓作業の完了後、必要な修繕が実施され、その後、ガス供給停止エリアにおける開栓作業が行われる。この開栓作業も、多くの作業者に手分けして行われるので、その全体的な開栓作業の流れをシステム側で管理し、必要に応じて作業者が閲覧できるようにする必要がある。このため、本発明の好適な実施形態の１つでは、前記供給停止用閉栓情報に基づいて閉栓された前記遮断弁の復旧作業における開栓状況をリスト形式又は地図形式あるいはその両方の形式で生成する開栓情報生成部が備えられている。
【００１５】
本発明は、上述したガス供給管網管理システムだけでなく、そのようなガス供給管網管理システムをコンピュータシステムで実現させるためのコンピュータプログラムも対象としている。本発明によるガス供給管網管理プログラムは、ガス供給管網レイヤと標高レイヤと需要家ガス栓状態レイヤと供給停止エリア作業レイヤと住宅地図レイヤとを重ね合わせた、ガス供給停止作業を支援するための供給停止作業支援画面を生成する作業支援画面生成機能と、モニタに表示された前記供給停止作業支援画面を通じて工事対象となる地域のガス供給管網の状況を視認しながら、実際に供給停止されたエリアに基づいて前記供給停止エリア作業レイヤに描画される入力輪郭線によって規定されるエリアを、ガス供給停止エリアとして設定する供給停止エリア設定機能と、設定された前記ガス供給停止エリアに基づいて当該ガス供給停止エリアへのガス供給を停止するための遮断弁の位置を含む供給停止用閉栓情報を生成する閉栓情報生成機能とをコンピュータによって実現させる。
このガス供給管網管理プログラムがもたらす作用効果は、上述したガス供給管網管理システムで述べた通りである。また、好適な実施形態として述べられた種々の特徴もこのガス供給管網管理プログラムに適用可能である。
【００１６】
ガス供給管網管理プログラムにおける、特に好適な実施形態の１つでは、前記ガス供給停止エリアを復旧していく作業を管理する復旧作業管理情報を生成する復旧作業管理情報生成機能と、現場の差し水に関する情報を管理する差し水管理情報を生成する差し水管理情報生成機能とをさらにコンピュータによって実現させるとともに、前記作業支援画面生成機能は、さらに、前記復旧作業管理情報を表示する復旧作業管理レイヤと前記差し水管理情報を表示する差し水現場状況管理レイヤとを重ね合わせた、前記ガス供給停止エリアに対して供給再開するための復旧作業を支援する際に用いられる復旧作業支援画面を生成する。これにより、本発明によるガス供給管網管理プログラムは、ガス供給停止エリアに対するガス供給停止作業だけでなく、ガス供給停止作業後に行なわれる、ガス供給停止エリアにガス供給を再開するための、修繕作業及びガス再供給作業を含む復旧作業に対しても、効果的な支援を行なうことができる。
【図面の簡単な説明】
【００１７】
【図１】本発明の基本的な原理を説明する模式図である。
【図２】本発明の具体的な実施形態の１つであるガス供給管網管理システムの機能ブロック図である。
【図３】ガス供給管網管理システムを用いたガス供給管網の復旧工事の流れを示すフローチャートである。
【図４】端末のモニタに表示される、供給停止作業画面及び復旧作業支援画面のレイヤ構成を説明するための模式図である。
【図５】標高レイヤの表示形態を変更するための表示形態調整画面図である。
【図６】設定されたガス供給停止エリアの一例を示す模式図である。
【図７】遮断弁配置地図情報の一例を示すモニタ画面図である。
【図８】閉栓業務指示書の一例を示す説明図である。
【図９】２つの復旧ブロックに分割された供給停止エリアの画面図である。
【図１０】顧客状態集計画面の一例を示すモニタ画面図である。
【図１１】集計処理の説明図である。
【発明を実施するための形態】
【００１８】
本発明によるガス供給管網管理システムの具体的な実施形態を説明する前に、図１を用いて本発明を特徴付けている基本原理を説明する。
図１には、ガス供給不良事故に対する復旧作業を支援する際に用いられるモニタ画面としての作業支援画面Ｓの構成が示されている。なお、ここでは、作業支援画面Ｓとして、ガス供給管網における特定地域をガス供給停止エリアとして決定する供給停止エリア作業を行う際に用いられる供給停止支援画面Ｓａと、ガス供給停止エリアに対して供給再開するための復旧作業を支援する際に用いられる復旧作業支援画面Ｓｂとに分けられている。もちろん供給停止支援画面Ｓａと復旧作業支援画面Ｓｂとを統合してもよい。
この供給停止支援画面Ｓａは、ガス供給管網レイヤＳ１と、標高レイヤＳ２と、需要家ガス栓状態レイヤＳ３と、供給停止エリア作業レイヤＳ４と住宅地図レイヤＳ０とから構成されている。住宅地図レイヤＳ０は、供給停止支援画面Ｓａを通じて家屋の配置状況や家屋と道路との関係を把握し易くするために、広域地図や住宅地図を表示するためのレイヤであり、この住宅地図レイヤＳ０はガス供給管網レイヤＳ１や需要家ガス栓状態レイヤＳ３などの他のレイヤに予め組み込んでおいてもよい。ガス供給管網レイヤＳ１は、ガス管網図が組み込まれたガス供給管網地図データに基づく画像が配置されたレイヤである。標高レイヤＳ２は、標高値を含む標高地図情報に基づいて画面上で標高値の違いが区分けされた標高画像が配置されたレイヤである。標高レイヤＳ２は等高線で表してもよいが、所定の標高高さステップで色分けすれば、特定地域における標高の違いがより視認しやすい。需要家ガス栓状態レイヤＳ３は、特定の家屋に設置された通信機能付きガスメータからのガス栓状態情報を含むメータ情報を管理している管理センタから転送された、各ガスメータにおけるガス栓状態を示す画像が配置されたレイヤである。例えば、開栓されたガスメータは白丸で示され、閉栓されたガスメータは赤丸で示される。ガスメータは、ガス漏れ等でガス圧が減少した場合に自動閉栓する機能を有するので、この需要家ガス栓状態レイヤＳ３によって、ガス圧が低下した地域の把握が可能である。供給停止エリア作業レイヤＳ４は、いわゆる作業レイヤであり、マウスなどの操作入力を通じて決定されたガス供給停止エリアの輪郭線ＺＡが記録されるレイヤである。
【００１９】
供給停止支援画面Ｓａは、これらのレイヤを適切に透明化して重ね合わせたものである。従って、この、供給停止支援画面Ｓａを通じて、工事管理者は、ガス供給管網をベースとして、土地の標高分布や点在する閉栓された遮断弁をみながらガス供給不良の復旧工事のための供給停止エリアの輪郭描画を繰り返し試行することができる。最終的に決定された供給停止エリアの輪郭線（供給停止エリア輪郭線）ＺＡは、供給停止エリア作業レイヤＳ４に書き込まれる。
【００２０】
供給停止エリアが最終的に確定されると、供給停止エリア作業レイヤＳ４から読み出された供給停止エリアの輪郭を示す輪郭線ＺＡに基づいて、供給停止エリアがガス供給停止状態になるために閉栓しなければならない遮断弁に関する弁種や設置されている位置（場所）の含む供給停止用閉栓情報が生成される。この供給停止用閉栓情報には、遮断弁に対する閉栓作業を行う作業者の閲覧に便利なように、地図情報Ｍ１だけでなく、総合リスト情報や個別リスト情報Ｌ１も含まれる。例えば、個別リスト情報を用いて閉栓帳票Ｌ２をプリント出力することで、閉栓作業命令書として担当作業者に効率的に配布することができる。
【００２１】
ガス供給停止エリアに対するガス供給停止作業が終えると、ガス供給停止エリアにガス供給を再開するために、修繕作業及びガス再供給作業を含む復旧作業が行われるが、その際には、復旧作業支援画面Ｓｂが用いられる。ここでは、復旧作業支援画面Ｓｂには、上記の住宅地図レイヤＳ０、差し水管理情報を表示するための差し水現場状況管理レイヤＳ５、顧客の復旧状況を示す復旧対象顧客レイヤＳ６、復旧作業者の管理情報を示す担当地区レイヤＳ７、復旧作業の管理情報を示す復旧ブロックレイヤＳ８が含まれている。復旧対象顧客レイヤＳ６、担当地区レイヤＳ７、復旧ブロックレイヤＳ８は、復旧作業を管理する上で必要な各種情報を表示するものであり、これらを復旧作業管理レイヤとして統合してもよい。さらには、復旧作業支援画面Ｓｂに、供給停止支援画面Ｓａに含まれているその他のレイヤのいずれかまたはすべてを導入してもよいし、供給停止支援画面Ｓａと復旧作業支援画面Ｓｂとを統合した作業支援画面Ｓを採用してもよい。
【００２２】
次に、図面を用いて、本発明によるガス供給管網管理システムの具体的な実施形態の１つを説明する。図２は、そのようなガス供給管網管理システムの構成を示す機能ブロック図である。図２では、このガス供給管網管理システムは、クライアントとしての端末１と管理センタ（以下単にセンタと略称する）に設置されるサーバとしての復旧管理サーバとが通信回線（ＷＡＮやＬＡＮ）を介して接続されるサーバ・クライアントシステムないしはクラウドシステムとして構築されている。なお、このサーバ・クライアントシステムにおける端末１と復旧管理サーバとの機能を統合して、ガス供給管網管理システムをスタンドアロンシステムとして構築してもよい。
【００２３】
図２から明らかなように、センタに設置される復旧管理サーバは、ここではＷＥＢサーバとして構築された入出力部２と、各種データ処理機能をプログラムによって実現する機能部群を有するアプリケーションサーバ３と、各種データを格納するデータベース群からなるデータベースサーバ４とを備えている。
【００２４】
データベースサーバ４には、住宅地図データベース部４０、管網データベース部４１、標高データベース部４２、閉栓管理データベース部４３、ユーザ管理データベース部４４、復旧作業管理情報データベース部４５が含まれている。住宅地図データベース部４０は一般に流通している住宅地図ないしは広域地図の地図データを格納しており、市販の地図データを流用することができる。また、管網データベース部４１にガス供給管網図とともに格納することも可能である。管網データベース部４１は、地形・市街地地図情報に、ガス管網を含む供給設備のラインやシンボル記号やその属性情報を組み込んで作成されたガス供給管網図を格納している。標高データベース部４２は、それ自体は良く知られた標高図をデジタルデータ化したものを格納している。閉栓管理データベース部４３は、ガス供給管網における遮断弁の弁種、位置、開閉状態などをガス管工事中の作業者からの報告に基づいて読み取り可能に記録している。ユーザ管理データベース部４４は、いわゆる顧客管理データベースであり、ガス需要家の需要家ＩＤ，氏名、住所、ガスメータＩＤなどがフィールドデータとして含まれている。復旧作業管理情報データベース部４５は、復旧作業で利用する作業担当者情報、復旧ブロック情報とその属性情報、差し水情報などを格納している。
【００２５】
アプリケーションサーバ３に含まれている、本発明に特に関係する機能部は、ガスメータ情報管理部３０、作業支援画面生成部３１、供給停止エリア設定部３２、閉栓情報生成部３３、分別部３５、開栓情報生成部３６、差し水管理情報生成部３７、復旧作業管理情報生成部３８である。ガスメータ情報管理部３０は、登録されたガス需要家宅に設置された通信機能付きガスメータから送られてくるガスメータ情報を取り扱っている中央管理センタから必要に応じて転送されてくるガスメータの状態情報を管理している。ガスメータの状態情報には、接続されているガス管の圧力低下などによって閉栓状態となったガスメータの位置データ及び開栓状態となっているガスメータの位置データが含まれている。したがって、ガスメータ情報管理部３０は、上述した需要家ガス栓状態レイヤＳ３を生成するためのデータを、実質的にリアルタイムで管理することができる。
【００２６】
作業支援画面生成部３１は、供給停止支援画面Ｓａと復旧作業支援画面Ｓｂとを作り出す。あるいはそれらを統合した作業支援画面Ｓを作り出すように作業支援画面生成部３１を構成することも可能である。この実施の形態では、供給停止支援画面Ｓａを作り出すために、作業支援画面生成部３１は、住宅地図データベース部４０から読み出した住宅地図データに基づいて住宅地図レイヤＳ０を生成し、管網データベース部４１から読み出した管網図データに基づいてガス供給管網レイヤＳ１を生成し、標高データベース部４２から読み出した標高図データに基づいて標高レイヤＳ２を生成し、ガスメータ情報管理部３０で管理されているガスメータのガス栓開閉状態データに基づいて需要家ガス栓状態レイヤＳ３を生成する。また、この実施形態では、復旧作業の進捗に応じて、差し水管理情報生成部３７によって差し水管理情報が生成され、復旧作業管理情報生成部３８によって復旧作業管理情報が生成され、生成された差し水管理情報および復旧作業管理情報は復旧作業管理情報データベース部４５に格納される。従って、作業支援画面生成部３１は、差し水管理情報を表示するための差し水現場状況管理レイヤＳ５及び復旧作業管理情報を表示する復旧作業管理レイヤも生成することができる。この復旧作業管理レイヤには、上述した復旧対象顧客レイヤＳ６、担当地区レイヤＳ７、復旧ブロックレイヤＳ８が含まれている。
作業支援画面生成部３１は、住宅地図レイヤＳ０とガス供給管網レイヤＳ１と標高レイヤＳ２と需要家ガス栓状態レイヤＳ３とを重ね合わせるとともに、操作入力された供給停止エリアの輪郭線ＺＡを記述するための供給停止エリア作業レイヤＳ４も配置し供給停止支援画面Ｓａ（正確には画面データ）を生成する。さらに、この実施形態では、この供給停止支援画面Ｓａには、差し水現場状況管理レイヤＳ５を含んでいる。この供給停止支援画面Ｓａは入出力部２を通じて端末１に送られ、端末１のモニタ（ディスプレイ）１ａに表示される。
【００２７】
供給停止エリア設定部３２は、モニタ１ａに表示された、供給停止支援画面Ｓａを通じて工事対象となる地域のガス供給管網の状況を視認しながらマウスなどの入力操作デバイスを用いて決定されたガス供給停止エリアの輪郭線ＺＡを、供給停止エリア作業レイヤＳ４を通じて読み取ることで、ガス供給停止エリアを設定する。
【００２８】
閉栓情報生成部３３は、作業管理者によって決定されるとともに供給停止エリア設定部３２によって設定されたガス供給停止エリアに含まれる、当該ガス供給停止エリアへのガス供給を停止するための遮断弁の位置を含む供給停止用閉栓情報を生成する。その際、閉栓情報生成部３３は、管網データベース部４１から当該ガス供給停止エリアに含まれる遮断弁の属性情報を読み出して利用する。
【００２９】
閉栓情報生成部３３は、さらに、生成された供給停止用閉栓情報に含まれる閉栓すべき遮断弁の閉栓状況を表す閉栓情報をリスト形式又は地図形式あるいはその両方の形式で生成するが、その際、閉栓管理データベース部４３に記録されている開閉（開栓・閉栓）状態を読み出して利用する。
【００３０】
差し水管理情報生成部３７は、ガス管に水が溜まる現象である差し水の状況を現場からの報告、あるいは場合によってはガス供給網に装備されている各種計器の検出情報に基づいて現場の差し水状況を示す差し水管理情報を生成する。復旧作業管理情報生成部３８は、設定されているガス供給停止エリアに対する復旧作業の進捗状態を監視するための復旧作業管理情報を、作業現場から送られてくる各種作業情報に基づいて生成して復旧作業管理情報データベース部４５に格納する。
【００３１】
ガス供給管網の復旧のために必要な修繕工事の終了後、ガス供給停止エリアに再びガスを供給するために、復旧完了地域及び当該地域に属する需要家宅毎の、一旦閉栓された遮断弁（ガスメータの遮断弁も含む）を開栓する開栓作業（復旧作業）が行われる。この復旧作業を支援するために、モニタ１ａに復旧作業支援画面Ｓｂが表示される。開栓作業における遮断弁の開栓状況は閉栓管理データベース部４３に順次記録されるが、開栓情報生成部３６は、その情報を読み出して、供給停止用閉栓情報に基づいて閉栓された遮断弁の復旧作業における開栓状況をリスト形式又は地図形式あるいはその両方の形式で生成する。作業者は、この開栓情報生成部３６によって生成された開栓状況をプリント出力ないしはモニタ出力することで、今後の作業を確認することができる。なお、この開栓作業では、例えば、個人宅に設置されたガスメータの遮断弁に対する作業と、集合住宅に設置されたガスメータの遮断弁に対する作業では異なる。集合住宅ではガスメータと本管を接続する引き込み管にさらに引き込み管遮断弁が設置されているなどの事情から、開栓作業に必須のパージ作業などの手順が複雑となるからである。このため、分別部３５が、上記のような事情を考慮して、ガス供給停止エリアを複数の復旧ブロックに分割する。ここでは、戸建建物が属するブロックを一般ブロックと称し、集合・大規模建物が属するブロックを特殊ブロックと称している。さらに、開栓情報生成部３６が、分別部３５によって分割された復旧ブロックにおける閉栓された遮断弁に対する開栓作業のための開栓情報を、内管パージを必要としない戸建建物開栓情報と内管パージを必要とする集合・大規模建物開栓情報とに区分けして生成する。
【００３２】
上記のように構成されたガス供給管網管理システムにおける、ガス管網の供給不良を伴う災害における災害復旧作業での基本的な工程を、図３のフローチャートを用いて説明する。
ガス管網被害を伴う災害が発生すると（＃００）、ガス供給停止作業が行われる（＃０１）。このガス供給停止作業では、ガス供給停止エリアを最適に決定する必要がある。このガス供給停止エリアの決定を含む復旧作業を支援すべく、作業支援画面生成部３１が、供給停止支援画面Ｓａが生成され、端末１のモニタ１ａに表示される（＃１１）。この供給停止支援画面Ｓａのレイヤ構成が、図４で示されている。図４では、供給停止支援画面Ｓａ及び復旧作業支援画面Ｓｂに含まれるレイヤが示されている。供給停止支援画面Ｓａは、好ましくは、住宅地図レイヤＳ０とガス供給管網レイヤＳ１と標高レイヤＳ２と需要家ガス栓状態レイヤＳ３と供給停止エリア作業レイヤＳ４と差し水現場状況管理レイヤＳ５とを重ね合わせることにより生成される。しかしながら、さらに復旧作業管理レイヤである、復旧対象顧客レイヤＳ６、担当地区レイヤＳ７、復旧ブロックレイヤＳ８にいずれかあるいはすべてを追加的に重ね合わせることも可能であり、その場合、供給停止支援画面Ｓａは復旧作業支援画面Ｓｂとしても兼用される。
【００３３】
なお、作業管理者は、供給停止支援画面Ｓａを構成する各レイヤのレイヤ属性を変更することが可能である。例えば、標高レイヤＳ２では、図５に示されているように、標高値によって区分けされる領域の間隔や分割数の変更、分割された領域の色分けを行なうことができる。これにより、供給停止エリアを決定するにあたって最適な標高レイヤＳ２が表示される。このような標高レイヤＳ２の生成において、供給停止支援画面Ｓａが表示されている端末１ごとに個別に、標高領域の間隔や分割数、分割された領域の色分けを設定することできる。また、作業支援画面生成部３１に変更指示を送信して、新たな供給停止支援画面Ｓａを表示させる方法を採用しても良い。
【００３４】
供給停止支援画面Ｓａを見ながら、作業管理者は、ガス供給管網での遮断位置（遮断弁の位置）を特定していくことで、望ましいガス供給停止エリアの輪郭を供給停止エリアＳ４レイヤ上に描画させる。あるいは、作業管理者によって描画される描画線を参照してシステム側が遮断弁を通過する輪郭線を作り出す。最終的に、ガス供給停止エリアの輪郭が決定されると、供給停止エリア作業レイヤＳ４に描画されるガス供給停止エリアの輪郭線ＺＡが供給停止エリア輪郭線としてデータ化され、以後の処理でガス供給停止エリアとして取り扱われる（＃１２）。その際、図６で示すように、ガス供給停止エリアは複数のガス供給停止サブエリアから構成することも可能である。
【００３５】
次いで、決定されたガス供給停止エリアに属する、閉栓すべき遮断弁の位置などの閉栓属性情報を示す供給停止用閉栓情報が生成され、閉栓管理データベース部４３に記録される。閉栓管理データベース部４３に記録された情報は端末１からの要求により出力される（＃１３）。供給停止用閉栓情報の１つの形態は、市街地図上に閉栓すべき遮断弁の位置をシンボル（図では灰色丸）で示している遮断弁配置地図情報であり、遮断弁配置地図情報に基づいて出力されたモニタ画面の一例が図７で示されている。供給停止用閉栓情報の他の形態の１つは、各遮断弁の属性データ（設置場所や対応ガスメータＩＤなど）とともに、閉栓作業の手順（家屋判定状況、閉栓状況、閉栓不能理由、引継ぎ依頼事項、周辺被害情報など）等を示している閉栓業務指示書であり、図８で模式的にごく一部が例示されている。作業者は、このような遮断弁配置地図情報を参照し、閉栓業務指示書に基づいて閉栓作業を行う（＃０２）。
【００３６】
図３に戻ると、閉栓作業が完了して、ガス供給停止エリアへのガス供給が遮断されると、ガス供給停止エリアにおけるガス供給管網の修繕が行なわれる（＃０３）。修繕作業では、外管と呼ばれている大径の供給管の取替え工事や、内管と呼ばれている小径の引き込み管の取替え工事などが行なわれる。この工事により、災害等によるガス供給管網の供給不良が修復される。
【００３７】
修繕作業が完了すると、ガス供給停止エリアへのガス供給が可能となるように、閉栓状態の遮断弁を開栓する開栓作業が行われる（＃０４）。この開栓作業を含む復旧作業は、復旧作業支援画面Ｓｂによって支援される。このため、復旧作業支援画面Ｓｂには、少なくとも住宅地図レイヤＳ０、差し水現場状況管理レイヤＳ５、復旧対象顧客レイヤＳ６、担当地区レイヤＳ７、復旧ブロックレイヤＳ８が含まれると好都合である。
既に述べたように、復旧工事における遮断弁の開栓作業では、当該遮断弁と接続しているガス管に対するパージ作業が必要となるが、集合住宅などでは、外管から内管（引き込み管）を経て需要家宅のガスメータの遮断弁までには１つ以上の遮断弁が介装されている場合もある。複数の遮断弁が介装されている場合、先行する第１の遮断弁を用いたパージ作業を行ってその開栓作業を行い、次のステップで後続する第２の遮断弁を用いたパージ作業を行ってその開栓作業を行いというように、順次パージ作業と開栓作業が行われる。なお、ガスメータに接続する引き込み管に介装された遮断弁、つまり引き込み管遮断弁の開栓時に行なわれるパージ作業は内管パージと呼ばれている。この内管パージが要否に応じて、つまり、引き込み管の中間に介装されている引き込み管遮断弁の開栓作業を行わない限り個々の家宅のガスメータを開栓できない家宅群（集合住宅や大規模建物）と、すぐに個々の家宅のガスメータを開栓してガス供給が再開される家宅群が存在する。このため、各宅に対して共通的に開栓作業を行ってガス供給が再開されることを報知した場合、家宅によっては開栓作業結果的にはガス供給再開のタイミングが大きくずれてしまうという問題が生じる。
【００３８】
このような問題を解消するため、開栓作業工程において、まず、分別部３５で、この災害復旧工事の閉栓作業において遮断弁の閉栓によってガス供給が停止されたガス供給停止エリアが、ガスメータに接続する引き込み管に引き込み管遮断弁が介装されている特殊ブロックと介装されていない一般ブロックの複数の復旧ブロックに区分けされる（＃４１）。区分けされた復旧ブロックが図９に模式的に示されているが、ここでは特殊ブロックがＳＢで示された集合住宅地域（集合住宅・大規模建物）であり、一般ブロックがＮＢで示された個別住宅地域（戸建建物地域）である。
【００３９】
さらに、開栓情報生成部３６で、各復旧ブロックにおける閉栓状態の遮断弁に対する開栓作業のための開栓情報が、前記集合住宅・大規模建物のための集合住宅・大規模建物開栓情報と前記戸建建物のための戸建建物開栓情報とに区分けして、ないしは区分け可能に生成される（＃４２）。その際、開栓情報生成部３６は、開栓情報を、開栓されるべき遮断弁の地図上の位置及び開栓状態を示す地図形式で、又は開栓されるべき遮断弁の設置位置及び個別の開栓状態をリスト化したリスト形式で、あるいはその両方の形式で生成することができる。作業者は、所望の開栓情報を選択し、選択された開栓情報を、モニタ出力やプリント出力といった形態で視覚化し、そのような可視出力情報を参照しながら、各復旧ブロックでのパージ作業（＃４３）と開栓作業（＃４４）を行う。各ブロックでのパージ作業と開栓作業とが、全てのガス供給停止エリアで完了するまで順次行なわれる（＃４５）。このような各復旧ブロックでの開栓作業の作業結果はデータ化され、随時、開栓情報生成部３６に送られる。
【００４０】
開栓情報生成部３６は、送られてきた作業結果を統計処理し、作業の進捗状態を示す開栓状態図表や開栓状態リストを生成し、閉栓管理データベース部４３に記録する。この生成された図表やリストはデータ化され、端末１に送られることで、端末１側で見ることができる。例として、図１０には、復旧したブロックとまだ復旧していないブロックの状況を示す項目（供給停止、未着手、閉栓完了など）を有する顧客状態集計画面が示されている。復旧工事が完了すると、今回の復旧工事に関するデータが集計され、その集計出力に基づいて復旧工事報告書が作成される（＃０５）。
【００４１】
需要家単位の開栓作業において、需要家宅のガスメータの遮断弁をチェックする毎に、そのチェック結果が復旧工事報告書の一例としての開栓作業報告書に記載される。図１１に示された開栓作業報告書には、未着手、閉栓完了、外管復旧計画済み、外管内管復旧完了、開栓訪問不在、開栓完了などのチェック項目が含まれている。この開栓作業報告書に記載されたチェック結果は、スキャナによって機械的読み取られ、データ化され、個別開栓情報として管理サーバに送信される。送られてきた個別開栓情報は、前記遮断弁の識別データとともに閉栓管理データベース部４３に記録される。閉栓管理データベース部４３に記録された遮断弁情報とユーザ管理データベース部４４に記録されているユーザ情報とは互いにリンクされているので、開栓情報生成部３６は、閉栓管理データベース部４３とユーザ管理データベース部４４とにアクセスして必要なデータを抽出することで、需要家（ユーザ）毎の開栓状況（復旧状況）をリスト化した集計情報を容易に生成することができる。この様子は、図１１で模式化して示されている。図１１に示されているように、個別の開栓情報を、例えば開栓された遮断弁を黒丸などのシンボルで表した地図情報の形式でフォーマット化し、端末１のモニタ１ａに復旧工事報告として表示させることもできる。
【００４２】
上述した実施形態で示された、アプリケーションサーバ３において実質的にプログラムの実行によって実現する機能部の区分けは、分かり易い説明を目的として行なっており、各機能部は、任意の統合ないしはさらなる分解が可能である。同様に、データベースサーバ４において複数のデータベース部に区分けされたデータベースも、任意の統合ないしはさらなる分解が可能である。
【産業上の利用可能性】
【００４３】
本発明は、ガス供給管網における種々の復旧工事の管理システムに適用可能である。
【符号の説明】
【００４４】
Ｓ  ：作業支援画面
Ｓａ：供給停止支援画面
Ｓｂ：復旧作業支援画面
Ｓ０：住宅地図レイヤ
Ｓ１：ガス供給管網レイヤ
Ｓ２：標高レイヤ
Ｓ３：需要家ガス栓状態レイヤ
Ｓ４：供給停止エリア作業レイヤ
Ｓ５：差し水現場状況管理レイヤ
Ｓ６：復旧対象顧客レイヤ（復旧作業管理レイヤ）
Ｓ７：担当地区レイヤ（復旧作業管理レイヤ）
Ｓ８：復旧ブロックレイヤ（復旧作業管理レイヤ）
１  ：端末
１ａ：モニタ
３  ：アプリケーションサーバ
３０：ガスメータ情報管理部
３１：作業支援画面生成部
３２：供給停止エリア設定部
３３：閉栓情報生成部
３５：分別部
３６：開栓情報生成部
３７：差し水管理情報生成部
３８：復旧作業管理情報生成部
４  ：データベースサーバ
４１：管網データベース部
４２：標高データベース部
４３：閉栓管理データベース部
４４：ユーザ管理データベース部
４５：復旧作業管理情報データベース部
【図１】
2014112313.tif 000003
【図２】
2014112313.tif 000004
【図３】
2014112313.tif 000005
【図４】
2014112313.tif 000006
【図５】
2014112313.tif 000007
【図６】
2014112313.tif 000008
【図７】
2014112313.tif 000009
【図８】
2014112313.tif 000010
【図９】
2014112313.tif 000011
【図１０】
2014112313.tif 000012
【図１１】
2014112313.tif 000013